【手続補正書】
【提出日】平成25年3月26日(2013.3.26)
【手続補正１】
【補正対象書類名】特許請求の範囲
【補正対象項目名】全文
【補正方法】変更
【補正の内容】
【特許請求の範囲】
【請求項１】
交流電圧が入力される入力ライン間に接続されるノイズ低減用の容量素子の電圧を放電する放電回路において、
前記入力ライン間に接続されたフィルタ部と、
前記フィルタ部によって動作が制御されるスイッチ部と、
前記スイッチ部がオンしたときに、前記容量素子の電圧を放電する放電部と
を有することを特徴とする放電回路。
【請求項２】
前記フィルタ部は、前記入力ライン間に直列に接続される抵抗とコンデンサを有し、
前記フィルタ部の時定数は、入力される前記交流電圧の周期よりも長いことを特徴とする請求項１に記載の放電回路。
【請求項３】
前記スイッチ部と前記放電部は、前記入力ライン間に直列に接続されており、
前記フィルタ部の前記抵抗と前記コンデンサの間に前記スイッチ部が接続されることを特徴とする請求項２に記載の放電回路。
【請求項４】
前記放電部は、抵抗素子であって、
前記フィルタ部の前記抵抗素子の抵抗値は、前記放電部の抵抗素子の抵抗値よりも大きいことを特徴とする請求項２または３に記載の放電回路。
【請求項５】
前記スイッチ部は、双方向に電流を流すことができる双方向サイリスタであることを特徴とする請求項１乃至４のいずれか１項に記載の放電回路。
【請求項６】
前記スイッチ部は、一方向に電流を流す第１のトランジスタと前記第１のトランジスタとは逆方向に電流を流す第２のトランジスタを有することを特徴とする請求項１乃至４のいずれか１項に記載の放電回路。
【請求項７】
前記スイッチ部は、前記第１のトランジスタに接続された第１のフィルタ部と、前記第２のトランジスタに接続された第２のフィルタ部とを有することを特徴とする請求項６に記載の放電回路。
【請求項８】
交流電圧が入力される入力ライン間に接続されるノイズ低減用の容量素子の電圧を放電する放電回路において、
前記入力ライン間に接続された整流部と、
前記整流部に接続された放電部と、
前記放電部に接続されたフィルタ部と、
前記フィルタ部によって動作が制御されるスイッチ部と、を有し、
前記スイッチ部がオンしたときに、前記放電部により前記容量素子の電圧を放電することを特徴とする放電回路。
【請求項９】
前記整流部は、前記入力ライン間に直列に接続される２つのダイオードであって、放電部は、前記２つのダイオードの間に接続されることを特徴とする請求項８に記載の放電回路。
【請求項１０】
前記スイッチ部は、ＦＥＴを含むことを特徴とする請求項８または９に記載の放電回路。
【請求項１１】
更に、前記フィルタ部からの出力を基準値と比較する比較部と、前記比較部の出力を伝達する伝達部とを含むことを特徴とする請求項８または９に記載の放電回路。
【請求項１２】
前記整流部からの出力を検知して前記スイッチ部をオンする制御部を有することを特徴とする請求項１乃至１１のいずれか１項に記載の放電回路。
【請求項１３】
入力される交流電圧を整流及び平滑して電圧を出力する電源において、
入力される前記交流電圧を整流する整流部と、
前記整流部と前記交流電圧の入力部との間に接続されたノイズ低減用の容量素子と、
前記容量素子と前記整流部との間に設けられた放電回路と、を備え、
前記放電回路は、
前記交流電圧が入力される入力ライン間に接続されたフィルタ部と、
前記フィルタ部によって動作が制御されるスイッチ部と、
前記スイッチ部がオンしたときに、前記容量素子の電圧を放電する放電部と、
を備えたことを特徴とする電源。
【請求項１４】
画像を形成するための画像形成手段と、
前記画像形成手段を制御する制御手段と、
前記制御手段に電力を供給する電源と、を備え、
前記電源は、入力される前記交流電圧を整流する整流部と、前記整流部と前記交流電圧の入力部との間に接続されたノイズ低減用の容量素子と、前記容量素子と前記整流部との間に設けられた放電回路と、を備え、
前記放電回路は、前記交流電圧が入力される入力ライン間に接続されたフィルタ部と、前記フィルタ部によって動作が制御されるスイッチ部と、前記スイッチ部がオンしたときに、前記容量素子の電圧を放電する放電部と、を備えたことを特徴とする画像形成装置。
【請求項１５】
入力される交流電圧を整流及び平滑して電圧を出力する電源において、
入力される前記交流電圧を整流する整流部と、
前記整流部と前記交流電圧の入力部との間に接続されたノイズ低減用の容量素子と、
前記容量素子と前記整流部との間に設けられた放電回路と、を備え、
前記放電回路は、
前記交流電圧が入力される入力ライン間に接続された整流部と、
前記整流部に接続された放電部と、
前記放電部に接続されたフィルタ部と、
前記フィルタ部によって動作が制御されるスイッチ部と、を有し、
前記スイッチ部がオンしたときに、前記放電部により前記容量素子の電圧を放電することを特徴とする電源。
【請求項１６】
画像を形成するための画像形成手段と、
前記画像形成手段を制御する制御手段と、
前記制御手段に電力を供給する電源と、を備え
前記電源は、入力される前記交流電圧を整流する整流部と、前記整流部と前記交流電圧の入力部との間に接続されたノイズ低減用の容量素子と、前記容量素子と前記整流部との間に設けられた放電回路と、を備え、前記放電回路は、前記交流電圧が入力される入力ライン間に接続された整流部と、前記整流部に接続された放電部と、前記放電部に接続されたフィルタ部と、前記フィルタ部によって動作が制御されるスイッチ部と、を有し、
前記放電回路は、前記スイッチ部がオンしたときに、前記放電部により前記容量素子の電圧を放電することを特徴とする画像形成装置。
【手続補正２】
【補正対象書類名】明細書
【補正対象項目名】発明の名称
【補正方法】変更
【補正の内容】
【発明の名称】放電回路、放電回路を有する電源及び画像形成装置
【手続補正３】
【補正対象書類名】明細書
【補正対象項目名】００１１
【補正方法】変更
【補正の内容】
【００１１】
上記目的を達成するための本発明の放電回路は、交流電圧が入力される入力ライン間に接続されるノイズ低減用の容量素子の電圧を放電する放電回路において、前記入力ライン間に接続されたフィルタ部と、前記フィルタ部によって動作が制御されるスイッチ部と、前記スイッチ部がオンしたときに、前記容量素子の電圧を放電する放電部とを有することを特徴とする。
【手続補正４】
【補正対象書類名】明細書
【補正対象項目名】００１２
【補正方法】変更
【補正の内容】
【００１２】
上記目的を達成するための本発明の他の放電回路は、交流電圧が入力される入力ライン間に接続されるノイズ低減用の容量素子の電圧を放電する放電回路において、
前記入力ライン間に接続された整流部と、
前記整流部に接続された放電部と、
前記放電部に接続されたフィルタ部と、
前記フィルタ部によって動作が制御されるスイッチ部と、を有し、
前記スイッチ部がオンしたときに、前記放電部により前記容量素子の電圧を放電することを特徴とする。
【手続補正５】
【補正対象書類名】明細書
【補正対象項目名】００１３
【補正方法】変更
【補正の内容】
【００１３】
上記目的を達成するための本発明の電源は、入力される交流電圧を整流及び平滑して電圧を出力する電源において、入力される前記交流電圧を整流する整流部と、前記整流部と前記交流電圧の入力部との間に接続されたノイズ低減用の容量素子と、前記容量素子と前記整流部との間に設けられた放電回路と、を備え、前記放電回路は、前記交流電圧が入力される入力ライン間に接続されたフィルタ部と、前記フィルタ部によって動作が制御されるスイッチ部と、前記スイッチ部がオンしたときに、前記容量素子の電圧を放電する放電部と、を備えたことを特徴とする。
【手続補正６】
【補正対象書類名】明細書
【補正対象項目名】００１４
【補正方法】変更
【補正の内容】
【００１４】
上記目的を達成するための本発明の他の電源は、入力される交流電圧を整流及び平滑して電圧を出力する電源において、入力される前記交流電圧を整流する整流部と、前記整流部と前記交流電圧の入力部との間に接続されたノイズ低減用の容量素子と、前記容量素子と前記整流部との間に設けられた放電回路と、を備え、前記放電回路は、前記交流電圧が入力される入力ライン間に接続された整流部と、前記整流部に接続された放電部と、前記放電部に接続されたフィルタ部と、前記フィルタ部によって動作が制御されるスイッチ部と、を有し、前記スイッチ部がオンしたときに、前記放電部により前記容量素子の電圧を放電することを特徴とする。